(57)【特許請求の範囲】
【請求項１】
ハブと、
複数の動翼とを備え、
前記ハブは、平面視において外形が円形状であり、
前記ハブは、前記ハブの回転軸方向に突出した中央部と、前記中央部から前記ハブの外周部に向けて傾斜した表面部分とを含み、
前記複数の動翼は、前記ハブの前記表面部分に連結され、
前記複数の動翼のうちの少なくとも１つは、前記複数の動翼の回転方向前側に位置する端部と、前記端部と連なり前記回転方向前側に位置する第１表面と、前記端部と連なり前記第１表面と逆側に位置する第２表面とを含み、
前記端部は平面部と曲面部とを含み、
前記平面部は前記第２表面と連なり平坦な表面を有し、
前記曲面部は、前記平面部と前記第１表面とを繋ぎ、曲面状の表面を有し、
前記平面部は、前記回転軸から径方向外側に向かって延びるように形成され、
前記平面部は、第１の位置と、前記径方向において前記第１の位置より外側に位置する第２の位置とを含み、
前記第１の位置は、前記回転方向における第１の幅を有し、
前記第２の位置は、前記回転方向における第２の幅を有し、
前記第２の幅は前記第１の幅より大きい、遠心羽根車。
【請求項２】
前記端部は、前記回転方向前側に位置する縁部を含み、
前記回転軸に沿った方向から見て、前記縁部は前記回転軸から径方向外側に向かって曲線状に延びる、請求項１に記載の遠心羽根車。
【請求項３】
前記第２表面は曲面であり、
前記第２表面は、前記回転方向に沿った断面において、前記端部から第１の距離だけ離れた第１部分と、前記端部から前記第１の距離と異なる第２の距離だけ離れた第２部分とを含み、
前記第１部分における曲率半径は、前記第２部分における曲率半径と異なる、請求項１または請求項２に記載の遠心羽根車。
【請求項４】
前記複数の動翼は、第１動翼と、前記回転軸に沿った方向において、前記第１動翼の高さと異なる高さを有する第２動翼とを含む、請求項１〜請求項３のいずれか１項に記載の遠心羽根車。
【請求項５】
請求項１〜請求項４のいずれか１項に記載の遠心羽根車と、
前記遠心羽根車を回転させる電動部とを備える、電動送風機。
【請求項６】
電気掃除機本体と、
前記電気掃除機本体と管路で連結され、被清掃部の空気を吸引する吸込具と、
前記電気掃除機本体内部に設けられ、前記吸込具と連通し、吸引した空気の塵を収納する集塵部と、
前記電気掃除機本体内部に設けられ、前記吸込具から前記集塵部へと空気を吸引する、請求項５に記載の電動送風機とを備え、
前記電気掃除機本体外側には、前記集塵部で集塵された後の空気を前記電気掃除機本体の外へ排出する排出口が設けられている、電気掃除機。
【請求項７】
使用者が手を挿入する開口部である手挿入部を含む本体と、
前記本体内部に設けられた、請求項５に記載の電動送風機とを備え、
前記本体には、前記電動送風機が外気を取込むための吸気口と、前記手挿入部に向けて前記電動送風機から送出される前記外気を吹き付けるための吹出口とが形成されている、ハンドドライヤー。
【発明の詳細な説明】
【技術分野】
【０００１】
この発明は、遠心羽根車、電動送風機、電気掃除機およびハンドドライヤーに関する。
【背景技術】
【０００２】
従来、たとえば電気掃除機やハンドドライヤーなどの電気機器に使用される電動送風機が知られている。電動送風機を構成する部材の１つとして遠心羽根車がある。たとえば特開２０１１−２７０８９号公報（以下、特許文献１と呼ぶ）では、遠心羽根車の動翼に関して、当該動翼の前縁を曲面で形成し、当該曲面の曲率を動翼の内周側から外周側へ向かって次第に小さくすることにより、前縁の衝突損失を低減し、高効率化することが開示されている。
【先行技術文献】
【特許文献】
【０００３】
【特許文献１】特開２０１１−２７０８９号公報
【発明の概要】
【発明が解決しようとする課題】
【０００４】
近年、電気掃除機などの電気機器は小型軽量化の要望が強く、当該電気機器に使用される個々の部品の小型軽量化が必要となっている。そのため、当該部品の一例である電動送風機に用いられる遠心羽根車も小径化することが求められる。小径の遠心羽根車では、動翼の前縁形状が効率に及ぼす影響が大きい。たとえば動翼の前縁が曲面のみで形成される場合、動翼の前縁における空気の流れが曲面で剥離することにより損失が大きくなる。この結果、電動送風機の効率が低下するという問題があった。【０００５】
本発明は、上記の課題を解決するためになされたもので、動翼における損失を低減し、小径でも高効率で吸込み仕事率の高い遠心羽根車、当該遠心羽根車を有する電動送風機、および当該電動送風機を備えた電気機器を提供することを目的とする。
【課題を解決するための手段】
【０００６】
本開示に従った遠心羽根車は、ハブと、複数の動翼とを備える。ハブは、平面視において外形が円形状である。ハブは、中央部と表面部分とを含む。中央部は当該ハブの回転軸方向に突出する。表面部分は、中央部からハブの外周部に向けて傾斜した部分である。複数の動翼は、ハブの表面部分に連結される。複数の動翼のうちの少なくとも１つは、端部と第１表面と第２表面とを含む。端部は、複数の動翼の回転方向前側に位置する。第１表面は、端部と連なり回転方向前側に位置する。第２表面は、端部と連なり第１表面と逆側に位置する。端部は平面部と曲面部とを含む。平面部は第２表面と連なり平坦な表面を有する。曲面部は、平面部と第１表面とを繋ぎ、曲面状の表面を有する。
【発明の効果】
【０００７】
上記によれば、動翼の回転方向前側の端部、すなわち前縁部に流入する空気の流れが、平面部に沿って流れることにより整流され、端部の表面から剥離することなく負圧面である第２表面側へ流入する。また圧力面である第１表面側へは、端部の曲面部に沿って空気の流れが滑らかに圧力面である第１表面側に導かれる。このため、前縁部での空気の剥離が抑制され、前縁部における損失が低減し、高効率で吸込み仕事率の高い電動送風機を得ることができる。
【図面の簡単な説明】
【０００８】
【図１】本発明の実施の形態１における電動送風機の鉛直方向の断面図である。
【図２】本発明の実施の形態１における遠心羽根車の正面図である。
【図３】本発明の実施の形態１における遠心羽根車の前縁側正面の拡大図である。
【図４】本発明の実施の形態１における遠心羽根車の前縁側の傾斜角度を説明するための模式図である。
【図５】本発明の実施の形態１における遠心羽根車の動翼の前縁部について径方向内周側と外周側との傾斜角度の関係を説明するための模式図である。
【図６】本発明の実施の形態１における遠心羽根車の動翼の上面の部分拡大図である。
【図７】本発明の実施の形態１における遠心羽根車の動翼の前縁側断面の拡大図である。
【図８】本発明の実施の形態１の変形例の遠心羽根車の動翼の前縁側断面の拡大図である。
【図９】本発明の実施の形態２における遠心羽根車の斜視図である。
【図１０】本発明の実施の形態３における電気掃除機の全体構成を説明するための模式図である。
【図１１】本発明の実施の形態４におけるハンドドライヤーの全体構成を説明するための斜視模式図である。
【図１２】図１１に示したハンドドライヤーの断面模式図である。
【発明を実施するための形態】
【０００９】
以下、図面を参照しながら本発明の実施の形態について説明する。なお、以下の図面において同一または相当する部分には同一の参照番号を付し、その説明は繰り返さない。
【００１０】
実施の形態１．
＜遠心羽根車および電動送風機の構成＞
図１は、本発明の実施の形態１に係る電動送風機の断面模式図である。図２は、図１に示した電動送風機の遠心羽根車の正面図である。図３は、図２に示した遠心羽根車の前縁側正面の拡大図である。図４は、図２に示した遠心羽根車の動翼における前縁側の傾斜角度を説明するための模式図である。図５は図２に示した遠心羽根車の動翼における径方向内周側と外周側との前縁側の傾斜角度の関係を説明するための模式図である。図６は図２に示した遠心羽根車の動翼の上面の部分拡大図である。図７は図２に示した遠心羽根車の前縁側断面の拡大図である。図１〜図７を参照しながら、実施の形態１に係る遠心羽根車および電動送風機を説明する。
【００１１】
図１〜図４に示す電動送風機は、本実施形態に係る電動送風機であって、電気掃除機やハンドドライヤーなどの電気機器に用いられる。図１および図３において、矢印は空気の流れを示している。
【００１２】
図１〜図４に示すように、本発明の実施形態に係る電動送風機は、本発明の実施の形態１に係る遠心羽根車１１と、電動部９と、ファンカバー１６とを備える。遠心羽根車１１は、ハブ３１と、複数の動翼２３とを含む。電動部９は、シャフト１０を介して遠心羽根車１１を回転させる。遠心羽根車１１はシャフト１０に固定されている。ハブ３１は、平面形状の外形が円形状である。ハブ３１は、遠心羽根車１１の回転軸方向であるシャフト１０の延在方向に突出した中央部３２と、中央部３２から外周部に向けて傾斜した表面部分３３とを含む。複数の動翼２３は、ハブ３１の円周方向に互いに間隔を隔てて設けられ、ハブ３１の表面部分３３に連結される。異なる観点から言えば、遠心羽根車１１は、実質的に円錐状のハブ３１と、動翼２３とを含む。動翼２３は、円周方向に複数設けられ、ハブ３１と連結する。
【００１３】
動翼２３の前縁である端部２９は、平面部２４および曲面部２５で形成される。曲面部２５は動翼２３の回転方向側の圧力面である第１表面２６と連結したものである。平面部２４は、動翼２３の第１表面２６と反対側に位置する負圧面である第２表面２７と連結している。異なる観点から言えば、遠心羽根車１１は、ハブ３１と、複数の動翼２３とを備える。ハブ３１は、平面視において外形が円形状である。ハブ３１は、中央部３２と表面部分３３とを含む。中央部３２は当該ハブ３１の回転軸方向に突出する。表面部分３３は、中央部３２からハブ３１の外周部に向けて傾斜した部分である。複数の動翼２３は、ハブ３１の表面部分３３に連結される。複数の動翼２３のうちの少なくとも１つは、端部２９と第１表面２６と第２表面２７とを含む。端部２９は、複数の動翼２３の回転方向前側に位置する。第１表面２６は、端部２９と連なり回転方向前側に位置する。第２表面２７は、端部２９と連なり第１表面２６と逆側に位置する。端部２９は平面部２４と曲面部２５とを含む。平面部２４は第２表面２７と連なり平坦な表面を有する。曲面部２５は、平面部２４と第１表面２６とを繋ぎ、曲面状の表面を有する。平面部２４は、図１においてはほぼ水平に設けられている。つまり、平面部２４は、回転軸方向に対して垂直な方向に伸びるように配置されている。
【００１４】
ここで、動翼２３の最外周部における、端部２９側での第２表面２７の延在する方向を、図４の線分４１で示す方向と規定する。線分４１は、回転方向に沿った動翼２３の断面において、平面部２４と第２表面２７との境界点である点Ａと、当該点Ａから回転方向逆側に所定の距離だけ離れた点Ｂとを結ぶ線分として規定する。平面部２４の幅を幅Ｌとすると、回転軸方向に対して垂直な方向、すなわち図４の水平方向における点Ａと点Ｂとの間の距離Ｘは、たとえば上記距離Ｌの２倍として規定できる。
【００１５】
また、動翼２３の内周側における、端部２９側での第２表面２７の延在する方向を図５に示す線分４２とする。線分４２の決定方法は、上記線分４１の決定方法と同様とする。すなわち、動翼２３の内周側において、平面部２４と第２表面２７との境界点である点Ａ’と、当該点Ａ’から回転方向逆側に所定の距離だけ離れた点Ｂ’とを結ぶ線分として線分４２を規定する。図４の水平方向における点Ａ’と点Ｂ’との間の距離は、動翼２３の内周側における平面部２４の幅Ｌの２倍として規定できる。図５に示すように、本実施の形態に係る遠心羽根車１１では、外周側における第２表面２７の延在する方向と回転軸４０とのなす角度θ１は、内周側における第２表面の延在する方向と回転軸４０とのなす角度θ２より大きくなっている。異なる観点から言えば、動翼２３の第２表面２７が回転軸に対して傾斜する角度は、内周側より外周側の方が大きくなっている。また異なる観点から言えば、回転軸４０に対して、動翼２３は内周側より外周側の方が傾斜した状態になっている。
【００１６】
平面部２４は、遠心羽根車１１の回転方向において、回転方向前側に位置する縁部２４ａと、当該平面部２４と第２表面２７との境界部２４ｂとの間の距離である幅Ｌを有する。図６に示すように、平面部２４では、ハブ３１側における幅Ｌ１よりも、相対的に外周側における幅Ｌ２の方が大きくなっている。異なる観点から言えば、平面部２４は、回転軸４０（図１参照）から径方向外側に向かって延びるように形成されている。平面部２４は、図６の第１の位置２４ｃと、第２の位置２４ｄとを含む。第２の位置２４ｄは、径方向において第１の位置２４ｃより外側に位置する。第１の位置２４ｃは、回転方向における第１の幅Ｌ１を有する。第２の位置２４ｄは、回転方向における第２の幅Ｌ２を有する。第２の幅Ｌ２は第１の幅Ｌ１より大きい。
【００１７】
また、平面部２４において、遠心羽根車１１の外周側に位置する部分が、ハブ３１側に位置する部分よりも回転方向に前進した状態となるよう形成されている。異なる観点から言えば、遠心羽根車１１の端部２９（図３参照）は、図６に示すように回転方向前側に位置する縁部２４ａを含む。縁部２４ａは、図６に示すように回転軸に沿った方向から見て、曲線状の形状を有している。つまり、縁部２４ａは回転軸から径方向外側に向かって曲線状に延びる。縁部２４ａの形状は、図６の点線矢印で示すように回転方向と逆側に凸となった曲線となっている。なお、縁部２４ａは、回転軸から径方向に延びる直線状の形状としてもよい。また、縁部２４ａは、回転方向に凸となった曲線状の形状としてもよい。図２に示すように、回転軸方向における動翼２３の高さ、すなわち翼高さは、ハブ３１側から外周側まで均一となっていてもよい。
【００１８】
また、動翼２３は、図７に示すように、反回転方向側の負圧面である第２表面２７の前縁部から所定の距離離れた位置において、変曲点２８を有してもよい。第２表面２７において、変曲点２８より平面部２４側の前側領域２７ａと、当該変曲点２８より回転方向後側に位置する後側領域２７ｂとは、互いに異なる曲率半径を有する曲面であってもよい。また、異なる観点から言えば、図３に示すように、第２表面２７は、回転方向に沿った断面において、端部２９から第１の距離だけ離れた第１部分３４と、端部２９から第１の距離と異なる第２の距離だけ離れた第２部分３５とを含む。第１部分３４における曲率半径は、第２部分３５における曲率半径と異なる。
【００１９】
図１に示すように、ファンカバー１６は、遠心羽根車１１およびディフューザ１５の静翼１２を内包するように、遠心羽根車１１の回転軸４０の方向において動翼２３より外側に設置される。ファンカバー１６の中央部には、遠心羽根車１１の吸込口１７に対向する位置に、開口部を規定するベルマウス１８が設けられている。
【００２０】
電動送風機７の側面には、ファンカバー１６と連結し、戻り静翼１３を内包するブラケット１９が設けられている。ファンカバー１６とディフューザ１５との間には、静翼１２から戻り静翼１３側への流路となる転向部としての隙間２１が設けられている。ディフューザ１５は、静翼１２と戻り静翼１３とを連結する主板１４を有する。また、ブラケット１９の下方には、ブラケット１９に連結し、電動部９を内包するモータフレーム２０が設けられている。モータフレーム２０には、遠心羽根車１１、ディフューザ１５、電動部９を通過した空気が吐出される吐出孔２２が数箇所設けられている。
【００２１】
なお、図１や図７に示すように、平面部２４は回転軸に対して垂直な方向に伸びるように形成されているが、図８に示すように当該平面部２４を回転軸に対して垂直な方向に対して傾斜するように形成してもよい。つまり図８の線分５０で示される上記垂直な方向に対して、平面部２４の延びる方向を所定の角度θ３だけ傾けるように、動翼２３を形成してもよい。なお、遠心羽根車１１において、複数の動翼２３の全てが上記のような構成を有してもよいが、複数の動翼２３のうち少なくとも１つの動翼２３が上記のような構成を有していればよい。
【００２２】
＜遠心羽根車および電動送風機の動作＞
電動送風機７の電動部９に電力が供給されると、シャフト１０が回転する。シャフト１０が回転することにより、シャフト１０に固定された遠心羽根車１１が回転し、ベルマウス１８の吸込口１７から空気を吸引する。遠心羽根車１１に吸引された空気は、遠心羽根車１１により昇圧、増速され、旋回しながら径方向外側へ向かう。遠心羽根車１１から吐出された空気の大部分は、ディフューザ１５の静翼１２の翼間で減速、昇圧される。その後、空気はディフューザ１５とファンカバー１６の隙間２１を通る。さらに、空気は戻り静翼１３により電動部９側に導かれ、電動部９を冷却する。その後、モータフレーム２０に設けられた吐出孔２２から電動送風機の外側へ空気は排出される。
【００２３】
＜遠心羽根車および電動送風機の作用効果＞
本実施の形態１では、遠心羽根車１１は、略円錐状のハブ３１と、ハブ３１上の円周方向に複数設けられた動翼２３とを備える。動翼２３の前縁である端部２９が平面部２４および曲面部２５で形成される。曲面部２５は動翼２３の回転方向側の圧力面である第１表面２６と連結している。そのため、端部２９に流入する空気の流れの一部は、平面部２４に沿って流れることにより整流され、平面部２４から剥離することなく第２表面２７側へ流入する。また端部２９において圧力面である第１表面２６側に位置する領域は曲面部２５となっているため、上記空気の流れの他の一部は滑らかに第１表面２６に導かれる。つまり、端部２９における空気の流れの剥離が抑制される。この結果、前縁である端部２９における損失が低減し、高効率で吸込み仕事率の高い電動送風機７を得ることができる。
【００２４】
また、平面部２４の幅Ｌについて、図６に示すように、ハブ側での幅Ｌ１よりも外周側での幅Ｌ２を大きくしている。この結果、ハブ側より流入風量が多い外周側の平面部２４のサイズを、ハブ側での平面部２４のサイズよりも大きくできる。このため、相対的流入風量が多い外周側において、平面部２４による剥離防止効果を高めることができる。
【００２５】
また、平面部２４は、外周側をハブ側よりも回転方向に前進させてもよい。この場合、風路断面積が相対的に小さいハブ側ではなく、当該風路断面積が相対的に大きい外周側での動翼２３の翼長を長くすることができる。このため、損失の増大を抑制しつつ風量を増加させることができる。
【００２６】
また、動翼２３では、反回転方向側の負圧面である第２表面２７に変曲点２８を設けている。また異なる観点から言えば、第２表面２７において、曲率半径が互いに異なる第１部分３４と第２部分３５とが形成されている。この場合、遠心羽根車１１を使用する風量範囲に合わせて変曲点２８の位置を変える、あるいは当該風量範囲に合わせて第２表面２７での局所的な曲率半径を調整することにより、空気の流れに動翼２３の羽根形状を添わせることができる。この結果、高効率な遠心羽根車１１を得ることができる。
【００２７】
実施の形態２．
＜遠心羽根車の構成＞
図９に示すように、本実施の形態に係る電動送風機を構成する遠心羽根車は、基本的には図２に示した遠心羽根車１１と同様の構成を備えるが、複数の動翼として第１動翼２３ａと第２動翼２３ｂとを含む点が異なっている。第２動翼２３ｂは、回転軸に沿った方向において第１動翼２３ａの高さと異なる高さを有している。図９では、中間羽根としての第２動翼２３ｂの高さは、第１動翼２３ａの高さより低くなっている。なお、図９では動翼として高さの異なる２種類の動翼を備える場合を示したが、動翼の種類は３種類以上であってもよい。たとえば、回転軸に沿った方向における高さが互いに異なる３種類以上の動翼を用いてもよい。
【００２８】
＜遠心羽根車の作用効果＞
上述した遠心羽根車では、本発明の実施の形態１における遠心羽根車と同様の効果を得られる。さらに、図９に示した遠心羽根車では、ハブの表面部分における中央部から外周部にかけて、つまり空気の流路の中間部から後端部にかけて、動翼の枚数が増加する。このため、低風量側では遠心羽根車１１での空気の流れが第１動翼２３ａに沿って流れるため内部二次流れが減少し、高効率な遠心羽根車を得ることができる。
【００２９】
実施の形態３．
＜電気掃除機の構成＞
図１０は本発明の実施の形態３における電気掃除機の模式図である。図１０において、電気掃除機は、電気掃除機本体１、電気掃除機本体１に接続された持ち手２、延長パイプ３および延長パイプ３の先端部に取り付ける吸込具４を有する。
【００３０】
電気掃除機本体１内部には、吸込具４により吸引された空気の塵を集塵し、収納する集塵部５、フィルタ６、および吸込具４から集塵部５に空気を吸引する電動送風機７が設けられている。電動送風機７は、本発明の実施の形態に係る遠心羽根車１１を備える。電気掃除機本体１の後方には、集塵部５で集塵された後の空気を電気掃除機本体１の外側へ排出する排出口８が設けられている。異なる観点から言えば、図１０に示した電気掃除機は、電気掃除機本体１と、吸込具４と、集塵部５と、上記電動送風機７とを備える。吸込具４は、電気掃除機本体１と管路としての延長パイプ３で連結され、被清掃部の空気を吸引する。集塵部５は、電気掃除機本体１内部に設けられ、吸込具４と連通し、吸引した空気の塵を収納する。電動送風機７は、電気掃除機本体１内部に設けられ、吸込具４から集塵部５へと空気を吸引する。電気掃除機本体１外側には、集塵部５で集塵された後の空気を電気掃除機本体１の外へ排出する排出口８が設けられている。
【００３１】
＜電気掃除機の動作および作用効果＞
次に電気掃除機の動作について説明する。
【００３２】
上述のように構成された電気掃除機は、電動送風機７の電動部９（図１参照）に電力が供給されると、シャフト１０（図１参照）が回転する。図１に示すように、このシャフト１０が回転することにより、シャフト１０に固定された遠心羽根車１１が回転し、吸込口１７から空気を吸引する。これにより、図１０に示す電気掃除機本体１に連結された延長パイプ３および吸込具４を通じて、被清掃面の空気が電気掃除機本体１に吸引される。電気掃除機本体１に吸引された空気は、集塵部５において集塵される。
【００３３】
その後、集塵部５から排出された空気は、図１に示すように、電動送風機７のベルマウス１８を通り、遠心羽根車１１の吸込口１７から吸引される。遠心羽根車１１に吸引された空気は、遠心羽根車１１により昇圧、増速され、旋回しながら径方向外側へ向かう。遠心羽根車１１から吐出された空気の大部分は、ディフューザ１５の静翼１２の翼間で減速、昇圧され、その後、空気はディフューザ１５とファンカバー１６の隙間２１を通る。さらに、空気は戻り静翼１３により電動部９側に導かれ、電動部９を冷却する。その後、モータフレーム２０に設けられた吐出孔２２から電動送風機の外側へ空気は排出される。そして、図１０に示す掃除機本体１に設けられた排出口８から電気掃除機本体１の外側へ空気が排出される。
【００３４】
上述した電気掃除機では、上述した本発明の実施の形態に係る電動送風機７を用いているので、結果的に高効率かつ長寿命な電気掃除機を得ることができる。
【００３５】
なお、本実施形態の電動送風機７については、上述した電気掃除機とは異なる形式の電気掃除機に適用することができる。たとえば、本実施形態の電動送風機７を、電気掃除機本体１にホース、延長パイプが連結されたキャニスタ―タイプの電気掃除機に適用してもよい。
【００３６】
実施の形態４．
＜ハンドドライヤーの構成および作用効果＞
図１１および図１２に示した、本発明の実施の形態に係るハンドドライヤーは、本体としてのケーシング１０６、手挿入部１０２、水受け部１０３、ドレン容器１０４、透光窓１０７、および吸気口１０８を備える。ハンドドライヤーでは、ケーシング１０６内に電動送風機７を有する。ハンドドライヤーでは、水受け部１０３の上部にある開口部である手挿入部１０２に手を挿入することで、電動送風機７による送風で水を手から吹き飛ばす。吹き飛ばされた水は、水受け部１０３からドレン容器１０４へと貯留される。
【００３７】
図１１および図１２に示すように、ハンドドライヤーの外殻をなすケーシング１０６は、正面に手挿入口を有する。ケーシング１０６は、手挿入口に続く処理空間として手挿入部１０２を備えている。手挿入部１０２には使用者が手を挿入可能である。手挿入部１０２は、ケーシング１０６の正面下部に、正面と両側面が開放した開放シンク状の凹部として形成されている。手挿入部１０２の下部を形成するように水受け部１０３が配置されている。図１２に示すように、水受け部１０３の底部は前方に向かって下傾していて、その傾斜下端に排水口１２６が設けられている。水受け部１０３の下方には排水口１２６から滴下する水を貯留するドレン容器１０４が抜き差し自在に設けられている。手挿入部１０２の上部には、手挿入部１０２に向かって下方に高速空気を吹き出す吹出口としてのノズル１１２が設けられている。
【００３８】
手挿入部１０２の上方でケーシング１０６と背面側のハンドドライヤーの外殻をなすベース１２８とで構成された箱体状の空間内には、電動部９と、電動部９の回転軸に固定され回転する遠心羽根車１１であるターボファンとを備えた電動送風機７が配置されている。この電動送風機７はたとえば外部から供給される電力、あるいはケーシング１０６内部に配置されたバッテリーなどの電源からの電力により駆動される。また、当該箱体状の空間内には、電動送風機７の吸気側とケーシング１０６の側面に設けられた吸気口１０８とを連通する吸気風路１２１と、電動送風機７の排気側とノズル１１２とを連通する排気風路１２３とが設けられている。
【００３９】
排気風路１２３の途中でノズル１１２より上流側近傍には電動送風機７から送られてくる空気を加熱して温風化させるヒータ１１１が設けられている。吹出口としてのノズル１１２より背面側でケーシング１０６内には、手検知センサ１３６および照明用ＬＥＤ１３８を備えた回路基板が設けられている。手検知センサ１３６の発光方向および受光方向、並びに照明用ＬＥＤ１３８の発光方向はいずれも手挿入部１０２に向って設けられている。手挿入部１０２の上面のケーシング１０６の一部に設けられた可視光や赤外線を透す透光窓を通して、手検知センサ１３６は手挿入部１０２における手の有無を検知する。手挿入部１０２に手が挿入されたことが検出されると、照明手段としての照明用ＬＥＤ１３８は手挿入部１０２を照らし明るくする。
【００４０】
また、ケーシング１０６の正面付近で、ケーシング１０６の内には、制御回路１５０、電源が入ってスタンバイ状態で通電中あることを点灯で示す通電用表示手段としての通電用ＬＥＤ１３９、および照明用ＬＥＤ１３８と通電用ＬＥＤ１３９の点灯のＯＮ／ＯＦＦをそれぞれ独立に切り替えることができる切替手段としての切替スイッチを備えた回路基板１４０が設けられている。通電用ＬＥＤ１３９の発光方向および切替スイッチの操作面は正面側に向って設けられている。また、通電用ＬＥＤ１３９の光がケーシング１０６の外から視認できるように、ケーシング１０６に透光窓１０７が設けられている。
【００４１】
＜本実施形態に係るハンドドライヤーの動作＞
次に手を乾燥させる使用時の動作について説明する。ハンドドライヤーとしての電気機器の電源スイッチをＯＮにすると、ケーシング１０６内に配置された制御回路１５０などに通電され、手乾燥できる使用可能状態（以下、待機状態とする）となる。また電源が制御回路１５０に通電されると、切替スイッチの照明用ＬＥＤ１３８の切替がＯＮの場合には照明用ＬＥＤ１３８が点灯し、また切替スイッチの通電用ＬＥＤ１３９の切替がＯＮの場合には通電用ＬＥＤ１３９が点灯する。そして、使用者が濡れた手を手挿入口から手挿入部１０２内に手首付近まで入れると、手検知センサ１３６によって手の挿入が検知される。その結果、制御回路１５０により電動送風機７が作動する。
【００４２】
電動送風機７が作動すると、ハンドドライヤーの外の空気がケーシング１０６の両側面に設けられた吸気口１０８から吸い込まれる。吸気口１０８から吸い込まれた空気は、吸気風路１２１を通り、電動送風機７の上方を通って背面側に向かう。そして、当該空気は下方に移動して電動送風機７の吸込側から吸い込まれる。電動送風機７は吸気側から吸い込んだ空気を排気側から高圧空気に変換して排気する。排気された高圧空気は排気風路１２３を通りノズル１１２に到達し、高い運動エネルギーを持つ高速空気流に変換される。高速空気流は手挿入部１０２内に下方に向かってノズル１１２から吹き出される。ノズル１１２から吹き出された高速空気流は、手挿入部１０２に挿入されている濡れた手に当り、手に付着した水分を手の表面から剥離して吹き飛ばす。このようにして、手を乾燥させることができる。なお、ケーシング１０６内に設けられたヒータスイッチ（図示せず）をＯＮにしている場合には、ヒータ１１１が通電され排気風路１２３を通る高圧空気が加熱される。このため、ノズル１１２からは温風が吹き出され冬場などにおいても使用者の使用感を良好に保つことができる。
【００４３】
手の乾燥処理終了後、手を手挿入部１０２から抜き出すと、手が抜かれたことを手検知センサ１３６が検知し、電動送風機が停止する。手から吹き飛ばされた水滴は、前傾構造の水受け部１０３において排水口１２６に向かって流下し、排水口１２６からドレン容器１０４に収容される。
【００４４】
上述したハンドドライヤーでは、上述した本実施形態に係る電動送風機７を用いているので、損失を低くでき、結果的に高効率かつ長寿命なハンドドライヤーを得ることができる。
【００４５】
以上のように本発明の実施の形態について説明を行ったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【産業上の利用可能性】
【００４６】
本発明は、家庭用または業務用電気掃除機、ハンドドライヤーなど、電動送風機を用いた機器に有利に適用できる。
【符号の説明】
【００４７】
１  電気掃除機本体、２  持ち手、３  延長パイプ、４  吸込具、５  集塵部、６  フィルタ、７  電動送風機、８  排出口、９  電動部、１０  シャフト、１１  遠心羽根車、１２  静翼、１３  戻り静翼、１４  主板、１５  ディフューザ、１６  ファンカバー、１７  吸込口、１８  ベルマウス、１９  ブラケット、２０  モータフレーム、２１  隙間、２２  吐出孔、２３  動翼、２３ａ  第１動翼、２３ｂ  第２動翼、２４  平面部、２４ａ  縁部、２４ｂ  境界部、２４ｃ  第１の位置、２４ｄ  第２の位置、２５  曲面部、２６  第１表面、２７  第２表面、２７ａ  前側領域、２７ｂ  後側領域、２８  変曲点、２９  端部、３１  ハブ、３２  中央部、３３  表面部分、３４  第１部分、３５  第２部分、４０  回転軸、４１，４２，５０  線分、１０２  手挿入部、１０３  水受け部、１０４  ドレン容器、１０６  ケーシング、１０７  透光窓、１０８  吸気口、１１１  ヒータ、１１２  ノズル、１２１  吸気風路、１２３  排気風路、１２６  排水口、１２８  ベース、１３６  手検知センサ、１４０  回路基板、１５０  制御回路。
【図１】
0006765437.tif 000002
【図２】
0006765437.tif 000003
【図３】
0006765437.tif 000004
【図４】
0006765437.tif 000005
【図５】
0006765437.tif 000006
【図６】
0006765437.tif 000007
【図７】
0006765437.tif 000008
【図８】
0006765437.tif 000009
【図９】
0006765437.tif 000010
【図１０】
0006765437.tif 000011
【図１１】
0006765437.tif 000012
【図１２】
0006765437.tif 000013